(57)【特許請求の範囲】
【請求項１】
乗かご内に設置された行き先階登録釦の操作に応じてかご呼びを登録するとともに、乗場に設置された乗場釦の操作に応じて乗場呼びを登録し、かつ、特定階への乗かごの停止を任意に制限するかご呼びサービス切り離し運転を設定するかご呼びサービス切離し手段と、このかご呼びサービス切り離し運転を解除する解除手段とを備えたエレベータの制御装置において、
前記かご呼びサービス切離し運転時、前記特定階に対応する前記行き先階登録釦が操作されたことに応じて前記特定階に設置された乗場呼び応答灯を通常と異なる点灯方法で点灯させる点灯手段を設け、来客を認知した前記特定階側で前記特定階の前記乗場釦を操作可能としたことを特徴とするエレベータの制御装置。
【発明の詳細な説明】
【０００１】
【発明の属する技術分野】
本発明は、エレベータの制御装置に係り、特に、特定階への乗かごの停止を任意に制限するかご呼びサービス切り離し運転を設定可能なエレベータの制御装置に関する。
【０００２】
【従来の技術】
従来、特定階への乗かごの停止を任意に制限するかご呼びサービス切り離し運転を設定するかご呼びサービス切離し手段と、このかご呼びサービス切り離し運転を解除する解除手段とを備えたエレベータにあっては、かご呼びサービス切離し手段によりかご呼びサービス切り離し運転が設定されると、乗かごに乗り込んだ乗客が特定階に対応する行き先階登録釦を操作しても、特定階が行き先階として登録されず、乗かごが特定階にサービスすることが制限される。また、このようなかご呼びサービス切り離し運転は解除手段により一時的に解除することが可能である。
【０００３】
【発明が解決しようとする課題】
ところで、前述した従来のエレベータでは、かご呼びサービス切離し運転時に解除手段によるかご呼びサービス切離し運転の解除方法を知らない来客があった場合、特定階から来客を迎えに行き、サービス切離し運転を解除し、乗かごに同乗して特定階へと戻ってくる必要があるという煩わしさがあった。また、乗かご内で行われる解除手段による暗号操作等によりかご呼びサービス切離し運転の解除を行うものである場合、来客との同乗を余儀なくされることからその操作を来客に見られることは、防犯上好ましいものではなかった。
【０００４】
本発明はこのような従来技術における実情に鑑みてなされたもので、その目的は、解除手段によるかご呼びサービス切離し運転の解除方法を知らない来客を直接迎えに行くことなく特定階へと案内することのできるエレベータの制御装置を提供することにある。
【０００５】
【課題を解決するための手段】
この目的を達成するために本発明は、乗かご内に設置された行き先階登録釦の操作に応じてかご呼びを登録するとともに、乗場に設置された乗場釦の操作に応じて乗場呼びを登録し、かつ、特定階への乗かごの停止を任意に制限するかご呼びサービス切り離し運転を設定するかご呼びサービス切離し手段と、このかご呼びサービス切り離し運転を解除する解除手段とを備えたエレベータの制御装置において、前記かご呼びサービス切離し運転時、前記特定階に対応する前記行き先階登録釦が操作されたことに応じて前記特定階に設置された乗場呼び応答灯を通常と異なる点灯方法で点灯させる点灯手段を設け、来客を認知した前記特定階側で前記特定階の前記乗場釦を操作可能とした構成にしてある。
【０００６】
前記のように構成した本発明によれば、かご呼びサービス切離し手段によりかご呼びサービス切り離し運転が設定され特定階への乗かごの停止が任意に制限されているときに、解除手段によるかご呼びサービス切離し運転の解除方法を知らない来客が乗かごに乗り込み特定階に対応する行き先階登録釦を操作すると、点灯手段は特定階に設置された乗場呼び応答灯を通常とは異なる点灯方法で点灯させる。この点灯により特定階側の人物は来客が乗かご内にいることを認知し、次いで、必要に応じて特定階の乗場釦を操作して乗かごを特定階へとサービスさせる。これによって、解除手段によるかご呼びサービス切離し運転の解除方法を知らない来客を直接迎えに行くことなく特定階へと案内することができる。
【０００７】
【発明の実施の形態】
以下、本発明のエレベータの制御装置の実施の形態を図に基づいて説明する。
【０００８】
図１は本発明のエレベータの制御装置の一実施形態を示す電気回路図である。なお、本実施形態のエレベータは１階と２階間を就行するものであり、２階がかご呼びサービス切り離し運転の対象となる特定階である。
【０００９】
本実施形態のエレベータの制御装置は図１に示すように、電源Ｐ、Ｎと、一端が電源Ｐに接続され、２階を呼び登録する図示しない乗かご内に設置された２階行き先階登録釦２Ｃと、一端が２階行き先階登録釦２Ｃ、他端が電源Ｎに接続される２階行き先階登録指令リレーＸ５１２と、一端が電源Ｐに接続される２階行き先階登録指令リレーＸ５１２の常開接点Ｘ５１２ａ１と、一端が常開接点Ｘ５１２ａ１に接続され、後述するかご呼びサービス切り離し指令リレーＮＳＴのトランスファー接点ＮＳＴ１と、一端がトランスファー接点ＮＳＴ１、他端が電源Ｎに接続される２階行き先階登録リレーＺ５１２と、一端がトランスファー接点ＮＳＴ１、他端が２階行き先階登録リレーＺ５１２に接続される後述する暗号判断部ＡＮＧの常開接点ＡＮＧａ１と、一端が電源Ｐに接続される２階行き先階登録リレーＺ５１２の常開接点Ｚ５１２ａ１と、一端が常開接点Ｚ５１２ａ１、他端が２階行き先階登録リレーＺ５１２に接続され、乗かごが２階到着時に付勢する図示しないリレーの常閉接点Ｚ９１２ｂ１と、
一端が電源Ｐに接続され、１階を呼び登録する乗かご内に設置された１階行き先階登録釦１Ｃと、一端が１階行き先階登録釦１Ｃ、他端が電源Ｎに接続される１階行き先階登録指令リレーＸ５１１と、
一端が電源Ｐに接続され、特定階、すなわち２階の乗場に設置された乗場釦２Ｄと、一端が乗場釦２Ｄ、他端が電源Ｎに接続される乗場呼び登録リレーＺ８１２と、一端が電源Ｐに接続される乗場呼び登録リレーＺ８１２の常開接点Ｚ８１２ａ１と、一端が常開接点Ｚ８１２ａ１、他端が乗場呼び登録リレーＺ８１２に接続され、乗かごが２階到着時に付勢する図示しないリレーの常閉接点Ｚ９１２ｂ２と、
一端が電源Ｐに接続され、後述するかご呼びサービス切り離し指令リレーＮＳＴの常開接点ＮＳＴａ１と、一端が常開接点ＮＳＴａ１に接続される２階行き先階登録指令リレーＸ５１２の常開接点Ｘ５１２ａ２と、一端が常開接点ＮＳＴａ１に接続される１階行き先階登録指令リレーＸ５１１の常開接点Ｘ５１１ａ１と、一端が常開接点Ｘ５１２ａ２、常開接点Ｘ５１１ａ１、他端が電源Ｎに接続されるとともに、常開接点Ｘ５１２ａ２、常開接点Ｘ５１１ａ１の入力順序で暗号の成立を判断する暗号判断部ＡＮＧと、
一端が電源Ｐに接続される乗場呼び登録リレーＺ８１２の常開接点Ｚ８１２ａ２と、一端が常開接点Ｚ８１２ａ２、他端が電源Ｎに接続される特定階、すなわち２階に設置された乗場呼び応答灯２ＤＨＬと、一端が電源Ｐに接続され、後述するかご呼びサービス切り離し指令リレーＮＳＴの常開接点ＮＳＴａ２と、一端が常開接点ＮＳＴａ２に接続される２階行き先階登録指令リレーＸ５１２の常開接点Ｘ５１２ａ３と、一端が常開接点Ｘ５１２ａ３、他端が乗場呼び応答灯２ＤＨＬに接続され、一定時間毎に付勢する図示しないフリッカー手段のフリッカー接点Ｆと、
一端が電源Ｐに接続され、特定階、すなわち２階への乗かごの停止を任意に制限するかご呼びサービス切り離し運転を設定するかご呼びサービス切離しスイッチＡと、一端がかご呼びサービス切離しスイッチＡ、他端が電源Ｎに接続されかご呼びサービス切り離し指令を出力するかご呼びサービス切り離し指令リレーＮＳＴと、一端が電源Ｐ、他端がかご呼びサービス切り離し指令リレーＮＳＴに接続されるかご呼びサービス切り離し指令リレーＮＳＴの常開接点ＮＳＴａ３と、
一端が電源Ｐに接続される２階行き先階登録リレーＺ５１２の常開接点Ｚ５１２ａ２と、一端が常開接点Ｚ５１２ａ２、他端が電源Ｎに接続されるとともに、乗かご内に設置される２階行き先階登録灯２ＣＬとを備えている。
【００１０】
なお、特定階への乗かごの停止を任意に制限するかご呼びサービス切り離し運転を設定するかご呼びサービス切離し手段は、かご呼びサービス切離しスイッチＡおよびかご呼びサービス切り離し指令リレーＮＳＴからなっているとともに、かご呼びサービス切り離し運転を解除する解除手段は、１階行き先階登録釦１Ｃ、２階行き先階登録釦２Ｃ、常開接点Ｘ５１１ａ１、常開接点Ｘ５１２ａ２、および暗号判断部ＡＮＧからなっており、かつ、かご呼びサービス切離し運転時、特定階に対応する行き先階登録釦２Ｃが操作されたことに応じて特定階に設置された乗場呼び応答灯２ＤＨＬを通常とは異なる点灯方法で点灯させる点灯手段は、常開接点ＮＳＴａ２、常開接点Ｘ５１２ａ３、およびフリッカー接点Ｆからなっている。
【００１１】
この実施形態にあっては、かご呼びサービス切離しスイッチＡがＯＦＦとなっているときに、乗客が乗かごに乗り込み２階行き先階登録釦２Ｃを操作すると、電源Ｐ−２階行き先階登録釦２Ｃ−２階行き先階登録指令リレーＸ５１２−電源Ｎの回路が形成されて２階行き先階登録指令リレーＸ５１２が付勢し、その常開接点Ｘ５１２ａ１が閉路して電源Ｐ−常開接点Ｘ５１２ａ１−トランスファー接点ＮＳＴ１−２階行き先階登録リレーＺ５１２−電源Ｎの回路が形成され、２階行き先階登録リレーＺ５１２が付勢する。これに応じて２階行き先階登録リレーＺ５１２の常開接点Ｚ５１２ａ１が閉路し、電源Ｐ−常開接点Ｚ５１２ａ１−常閉接点Ｚ９１２ｂ１−２階行き先階登録リレーＺ５１２−電源Ｎの回路が形成され、２階行き先階登録リレーＺ５１２は乗かごが２階に到着するまで自己保持されるとともに、常開接点Ｚ５１２ａ２が閉路し、電源Ｐ−常開接点Ｚ５１２ａ２−２階行き先階登録灯２ＣＬ−電源Ｎの回路が形成され、２階行き先階登録灯２ＣＬが点灯する。
【００１２】
また、２階床の乗場で乗場釦２Ｄを操作すると、電源Ｐ−乗場釦２Ｄ−乗場呼び登録リレーＺ８１２−電源Ｎの回路が形成され、乗場呼び登録リレーＺ８１２が付勢する。これに応じてその常開接点Ｚ８１２ａ１が閉路し、電源Ｐ−常開接点Ｚ８１２ａ１−常閉接点Ｚ９１２ｂ２−乗場呼び登録リレーＺ８１２−電源Ｎの回路が形成され、乗場呼び登録リレーＺ８１２は乗かごが２階に到着するまで自己保持されるとともに、常開接点Ｚ８１２ａ１が閉路し、電源Ｐ−常開接点Ｚ８１２ａ２−乗場呼び応答灯２ＤＨＬ−電源Ｎの回路が形成され、乗場呼び応答灯２ＤＨＬが点灯する。
【００１３】
一方、特定階、すなわち２階への乗かごの停止を任意に制限するかご呼びサービス切り離し運転を設定するためかご呼びサービス切離しスイッチＡをＯＮとすると、電源Ｐ−かご呼びサービス切離しスイッチＡ−かご呼びサービス切り離し指令リレーＮＳＴ−電源Ｎの回路が形成され、かご呼びサービス切り離し指令リレーＮＳＴが付勢し、トランスファー接点ＮＳＴ１が開路するとともに、その常開接点ＮＳＴａ１〜ＮＳＴａ３が閉路する。そして、電源Ｐ−常開接点ＮＳＴａ３−かご呼びサービス切り離し指令リレーＮＳＴ−電源Ｎの回路が形成されてかご呼びサービス切り離し指令リレーＮＳＴは自己保持される。この状態で乗かごに乗り込んだ乗客が２階に赴こうとして２階行き先階登録釦２ｃを操作してもトランスファー接点ＮＳＴ１が開路しているため２階行き先階登録リレーＺ５１２が付勢することはなく、したがって、２階に向けて乗かごがサービスすることはない。
【００１４】
また、かご呼びサービス切り離し運転時に暗号を知っている人物が乗かごに乗り込み、１階行き先階登録釦１Ｃおよび２階行き先階登録釦２Ｃをあらかじめ登録された手順で操作すると、電源Ｐ−１階行き先釦１Ｃ−１階行き先階登録指令リレーＸ５１１−電源Ｎ、および、電源Ｐ−２階行き先釦２Ｃ−２階行き先階登録指令リレーＸ５１２−電源Ｎの回路が形成され、１階行き先階登録指令リレーＸ５１１および２階行き先階登録指令リレーＸ５１２が付勢し、その常開接点Ｘ５１１ａ１および常開接点Ｘ５１２ａ２が閉路するとともに、この閉路に応じて電源Ｐ−常開接点ＮＳＴａ１−常開接点Ｘ５１１ａ１−暗号判断部ＡＮＧ−電源Ｎの回路、および電源Ｐ−常開接点ＮＳＴａ１−常開接点Ｘ５１２ａ２−暗号判断部ＡＮＧ−電源Ｎの回路が形成され、暗号判断部ＡＮＧに操作信号が入力される。そして、暗号判断部ＡＮＧが暗号の成立を判断すると、その常開接点ＡＮＧａ１が閉路する。この状態で２階行き先階登録釦２Ｃを操作すると電源Ｐ−２階行き先階登録釦２Ｃ−２階行き先階登録指令リレーＸ５１２−電源Ｎの回路が形成されて２階行き先階登録指令リレーＸ５１２が付勢し、その常開接点Ｘ５１２ａ１が閉路して電源Ｐ−常開接点Ｘ５１２ａ１−トランスファー接点ＮＳＴ１−常開接点ＡＮＧａ１−２階行き先階登録リレーＺ５１２−電源Ｎの回路が形成されて２階行き先階登録リレーＺ５１２が付勢し、２階のかご呼びが登録される。このようにかご呼びサービス切り離し運転解除の暗号、すなわち１階行き先階登録釦１Ｃおよび２階行き先階登録釦２Ｃのあらかじめ登録された操作手順を知っている人物はかご呼びサービス切り離し運転時であってもエレベータを利用して特定階、すなわち２階に赴くことができるが、知らない人物はかご呼びサービス切り離し運転時にエレベータを利用して特定階に赴くことはできない。
【００１５】
しかし、例えば１階乗場から携帯電話により事前に連絡を入れた来客が乗かごに乗り込み２階行き先階登録釦２Ｃを操作すると、電源Ｐ−２階行き先階登録釦２Ｃ−２階行き先階登録指令リレーＸ５１２−電源Ｎの回路が形成され、その常開接点Ｘ５１２ａ３が閉路する。このとき、かご呼びサービス切り離し指令リレーＮＳＴの付勢に応じて常開接点ＮＳＴａ２が閉路していることから、電源Ｐ−常開接点ＮＳＴａ２−常開接点Ｘ５１２ａ３−フリッカー接点Ｆ−乗場呼び応答灯２ＤＨＬ−電源Ｎの回路が形成され、２階行き先階登録釦２Ｃを操作している間、乗場呼び応答灯２ＤＨＬはフリッカー動作をする。これにより特定階側の人物は来客が乗かご内に乗り込んだことを認知し、次いで、乗場釦２Ｄを操作する。これに応じて電源Ｐ−乗場釦２Ｄ−乗場呼び登録リレーＺ８１２−電源Ｎの回路が形成されて乗場呼び登録リレーＺ８１２が付勢し、その常開接点Ｚ８１２ａ１が閉路して形成される電源Ｐ−常開接点Ｚ８１２ａ１−常閉接点Ｚ９１２ｂ２−乗場呼び登録リレーＺ８１２−電源Ｎの回路により乗場呼び登録リレーＺ８１２が自己保持され、乗かごは２階へ向けてサービスする。
【００１６】
このように構成した実施形態では、乗場呼び応答灯２ＤＨＬのフリッカー動作により特定階側の人物に来客を報知して乗場釦２Ｄの操作を促すことにより、解除手段によるかご呼びサービス切離し運転の解除方法を知らない来客を直接迎えに行くことなく特定階へと案内することができる。これによって、特定階側の手間を省くことができるとともに、解除手段によるかご呼びサービス切離し運転の解除方法を来客に見られるという事態を回避し防犯性の向上を図ることができる。
【００１７】
【発明の効果】
本発明は以上のように構成したので、解除手段によるかご呼びサービス切離し運転の解除方法を知らない来客を直接迎えに行くことなく特定階へと案内することができ、これによって、特定階側の手間を省くことができるとともに、解除手段によるかご呼びサービス切離し運転の解除方法を来客に見られるという事態を回避し防犯性の向上を図ることができる。
【図面の簡単な説明】
【図１】本発明のエレベータの制御装置の一実施形態を示す電気回路図である。
【符号の説明】
１Ｃ  １階行き先階登録釦（解除手段）
２Ｃ  ２階行き先階登録釦（解除手段）
２Ｄ  乗場釦
２ＤＨＬ  乗場呼び応答灯
Ａ  かご呼びサービス切離しスイッチ（かご呼びサービス切離し手段）
ＡＮＧ  暗号判断部（解除手段）
Ｆ  フリッカー接点（点灯手段）
ＮＳＴ  かご呼びサービス切り離し指令リレー（かご呼びサービス切離し手段）
ＮＳＴ１  トランスファー接点
ＮＳＴａ２  常開接点（点灯手段）
Ｘ５１１  １階行き先階登録指令リレー
Ｘ５１１ａ１  常開接点（解除手段）
Ｘ５１２  ２階行き先階登録指令リレー
Ｘ５１２ａ２  常開接点（解除手段）
Ｘ５１２ａ３  常開接点（点灯手段）
Ｚ５１２  ２階行き先階登録リレー
【図１】
0003909247.tif 000002